(57)【要約】      （修正有）【課題】風力発電装置のブレード形状を改善して発電効率の向上と発電装置に飛行動物が衝突することのない風力発電装置を提供する。【解決手段】ブレ−ド１を薄い鉄板やプラスチック製の端から端まで波状の形に多く折り曲げて軽くて丈夫なブレ−ドの形状とする。該ブレードの溝に沿って気体や流体を圧縮したり、ブレ−ドの受風面積を多くしてブレ−ドの回転力を向上させ、発電量を増加できる。発電装置に飛行動物が衝突しないように、ブレードにＬＥＤの電球を取り付ける。【選択図】図２
2017072083.tif 000002
【特許請求の範囲】
【請求項１】
気体や流体があたるブレ−ドを薄い、鉄やステンレスやアルミニュ−ムやトタンやブリキや金属やプラスチックなどにして、ブレ−ドの軸方向に縦状にブレ−ドの端から端まで波状の形に多く折り曲げたブレ−ド。
【請求項２】
上記の請求項１に記載したブレ−ドは丈夫で軽くて気体や流体の流れに対して回転力が上がるのと、波状の形にしたことでブレ−ドの全体の面積が多くなって気体や流体の流れに対して回転力が上がるのと、波状の溝のところでは気体や流体の流れがあたって気体や流体が圧縮してブレ−ドの回転力が上がるブレ−ド。
【請求項３】
上記の請求項１に記載したブレ−ドの、気体や流体があたる反対側の面では、同じく波状の形に多く曲がっているので、気体や流体が通っても渦などが巻かなく乱気流にもならないので、気体や流体の流れがスム−ズなのでブレ−ドの回転力が上がるブレ−ド。
【請求項４】
第一番目のブレ−ドに気体や流体があたると、気体や流体は斜めの方向に第一番目のブレ−ドから出て行くので、その気体や流体に対して第二番目のブレ−ドに回転力を付けるのには、ヨットが斜め前方から吹く風に対して前方に進んでいくのと同じく、第二番目のブレ−ドを回転する方向に斜め縦状に軸に取り付けて、ブレ−ドの回転する方向の斜め前方から来る第一番目のブレ−ドから出た気体や流体があたって跳ね返って流れて第二番目のブレ−ドに回転力がつく角度に軸に取り付けたブレ−ドの装置。
第一番目のブレ−ドと第二番目のブレ−との２つをそれぞれ一つの軸に取り付けた装置。
【請求項５】
第一番目のブレ−ドと第二番目のブレ−ドをつないで一体化したブレ−ド。
気体や流体が一番最初にあたるブレ−ド面にはへの字状の形や波状の形に大きく折り曲げて、気体や流体が最後にあたるブレ−ド面や気体や流体が最後にブレ−ド面に流れるブレ−ド面にはへの字状の形や波状の形に小さく折り曲げて、ブレ−ドの端から端までを段段とへの字状の形や波状の形に折り曲げたのが小さくなっていくようにして、気体や流体が一番最初にあたるブレ−ド面のへの字状の形や波状の形に大きく折り曲げたところでは気体や流体が当たると気体や流体がへの字状の形や波状の形の溝に圧縮されたりしてやブレ−ドの面積が多くなったりしてブレ−ドの回転力が上がるのと、ブレ−ドの反対面では気体や流体が渦を巻かなくや乱気流にならなくブレ−ドの回転力が上がるのと、気体や流体が最後にあたるブレ−ド面や気体や流体が最後に流れるブレ−ド面ではへの字状の形や波状の形が小さいので気体や流体の流れはいいくなってブレ−ドの回転力は上がるブレ−ドの装置。
【請求項６】
第一番目のブレ−ドにはブレ−ドの端から端までへの字状の形や波上の形に多く折り曲げたブレ−ドのその装置。
第二番目のブレ−ドにはへの字状の形や波状の形に折り曲げなくしたブレ−ドのその装置、
第一番目のブレ−ドにはへの字状の形や波状の形に多く折り曲げることで、気体や流体が当たってへの字状の形や波状の形の溝に気体や流体が入り込んで、その溝に気体や流体の圧力が上がってブレ−ドの回転力が上がるブレ−ドのその装置、
第二番目のブレ−ドにはへの字状の形や波状の形に折り曲げないことで、第一番目のブレ−ドを出て斜め前方から流れてきた気体や流体が第二番目のブレ−ドに斜め前方からあたって、そして第二番目のブレ−ドが回転方向に進むように回転するようにするのには第二番目のブレ−ドに斜め前方から気体や流体が当たって第二番目のブレ−ドが回転する方向に回転するように合った角度に斜め縦状に軸に取り付けて、その気体や流体が第二番目のブレ−ドの角度に対して当たって跳ね返って流れるように当たることでブレ−ドが回転方向に回転するので、第二番目のブレ−ドにはへの字状の形や波状の形に折り曲げないブレ-ドのその装置、
上記の、ブレ−ドの軸方向に縦状にブレ−ドの端から端までへの字状の形や波状の形に多く折り曲げた第一番目のブレ−ドとへの字状の形や波状の形に折り曲げていない第二番目のブレ−ドとの２つのブレ−ドそれぞれを一つのブレ−ドの軸に取り付けた装置。
【請求項７】
気体や流体が最初に当たるブレ−ド面の端から、気体や流体が最後の方に当たるブレ−ド面や気体や流体が最後の方に流れるブレ−ド面の端の最後まで行かなく途中までへの字状の形や波状の形に段段と小さく折り曲げていって、最後の方の気体や流体が最後に流れるブレ−ド面にはへの字状の形や波字状の形に折り曲げなくしたブレ−ド面のブレ−ド。
で気体や流体が最後の方に流れるブレ−ド面にへの字状の形や波状の形にした場合には気体や流体の流れがへの字状の形や波状の形に折り曲げたブレ−ド面に抵抗ができるので、それをなくして最後の方のブレ−ド面にはへの字状の形や波状の形に折り曲げなくして気体や流体が流れやすくしてブレ−ドの回転方向に回転しやすい様にするブレ−ド。
それとブレ−ド面の気体や流体が最初に当たるブレ−ド面の端から、気体や流体が最後の方に当たるブレ−ド面や気体や流体か最後の方に流れるブレ−ド面の端の最後まで行かなく途中までのブレ−ド面にはへの字状の形や波状の形に段段と小さくしていくのでなく、ブレ−ド面の気体や流体が最初に当たるブレ−ド面の端からとブレ−ド面の気体や流体が最後の方に当たるブレ−ド面や気体や流体が最後の方に流れるブレ−ド面の最後の端まで行かない途中までのブレ−ド面までへの字状の形や波状の形ちに同じ大きさに折り曲げて、気体や流体が最後の方に流れるブレ−ド面ではへの字状の形や波状の形に折りげ曲ないブレ−ド。
【請求項８】
回転するブレ−ドの外側の周りを筒状で覆って、ブレ−ド面に当たったりや当たろうとしている気体や流体がブレ−ドの外に流れたりや外に漏れたりしないようにして、気体や流体の流れの力がブレ−ドに集中するようにしてブレ−ドの回転力を上げる装置。
【請求項９】
ブレ−ドの軸に気体や流体が当たると、軸の周りには気体や流体がよって行って気体や流体の圧力が上がるので、ブレ−ドの本体とブレ−ドの本体との間にブレ−ドを取り付けて、その気体や流体の圧力が上がった部分の力でそのブレ−ドを回転させて全体的にブレ−ドの回転力を上げる装置。、
【請求項１０】
弱い気体の流れや弱い流体の流れでも気体や流体が流れる筒状の中の内側に気体や流体が圧縮するように中心部が細くなるように取り付けて、気体や流体が圧縮して流れてブレ−ドの回転力が上がるのと、気体や流体の排出口は広げて圧縮した気体や流体を排出して気体や流体の圧縮を下げることで筒の中の気体や流体の流れが増す増すいいくなってブレ−ドの回転力が増す増す上がる装置。
で発電機などに付いているブレ−ドを力強く早く回転させて発電などが増す増す上がる。
【請求項１１】
弱い気体の流れや弱い流体の流れにも、縦状に回転するブレ−ドとその中の気体や流体が最初に当たる回転するブレ−ドとブレ−ド側に気体や流体を圧縮して送るのに、縦状に回転するブレ−ドの気体や流体を取り入れる側に縦状に回転するブレ−ドよりも広げた気体や流体が反射するものを取り付けて、それに気体や流体が流れてきて当たると気体や流体がそのものの反射面に反射して回転するブレ−ドと気体や流体が最初に当たるブレ−ドやブレ−ドに気体や流体を圧縮して送るブレ−ド側に圧縮して入って行きそれによってブレ−ドの回転力が上がる装置。
【請求項１２】
縦状に回転するブレ−ドとそれに伴う本体と機器の一体が、風の向きに対して縦状に回転するブレ−ドとブレ−ド側に圧縮して気体や流体が流れている状態で一方方向に向いている状態から、気体や流体の流れの向きが変わった場合には、気体や流体の流れの向きに対して一方方向に向いていた縦状に回転するブレ−ドとそれに伴う本体と機器の一体に付いている風向機を流れの変わった気体や流体が押して、それに伴って連続した機器を動かして縦状のブレ−ドとそれに伴う本体と機器の一体を気体や流体の流れに対して縦状に回転するブレ−ドとブレ−ド側に圧縮した気体や流体が流れる向きに向ける装置。
〔図１９〕の〔３８〕の発電機を回転させて発電を行う、
〔図１５〕と〔図１６〕は縦状に回転するブレ−ドとそれに伴う本体と機器の一体が一方方向からの風向きに対して向きが固定している状態であり、
〔図１６〕の縦状に回転するブレ−ドとそれに伴う本体と機器の一体が一方方向からの風に対して向きが固定している状態から、〔図17の３〕の気体や流体の流れの向きが変わって〔図１７の２３〕の風向機を〔３〕の気体や流体が押して〔２６〕を移動させて〔図１７の３６〕と〔図１５の３６〕を押して〔３４〕を移動させて〔３０〕を移動させて〔４２〕を移動させて〔３７〕を持ち上げてそれが〔３２〕を持ち上げて連結している〔４０〕を持ち上げてそして〔２８〕を〔２９〕の窪みの中から抜いて発電機本体を廻してブレ−ドに圧縮させた気体や流体を反射して送る〔２４〕を風向きに向けてから〔２３〕が元に戻って、上記の連結の逆によって〔２８〕を〔２９〕の窪みの中に入れて発電機本体と〔２４〕を固定させる、それによって〔２４〕のものはブレ−ドに圧縮した気体や流体を送る方向に向いて、それによって縦状のブレ−ドには〔２４〕によって気体の流れや流体の流れが反射して圧縮されて流れて入り縦状のブレ−ドの回転力が増す、
【請求項１３】
風力発電などに飛行動物がぶつからないようにや、動物が近づかないようにするのに、ブレ−ドにＬＥＤの節約電球を取り付けて、ＬＥＤの明かりで飛行動物がぶつからないようにしたりや、動物が近寄らないようにする装置。  
風力発電などに飛行動物がぶつからないようにや、動物が近づかないようにするのには、風力発電などに飛行動物や動物が嫌がる音や超音波を出して、飛行動物や動物が近づかないようにする装置。
【発明の詳細な説明】
【技術分野】
【０００１】
気体や流体の流れに対して回転効率を良くした羽根(ブレ−ド)とその装置及び風力発電などへの飛行動物などの衝突防止装置、
【背景技術】
【０００２】
従来の羽根(ブレ−ド)は気体や流体に対して羽根の角度の調整を主体として回転しやすい様にさせていたのを、
【発明の開示】
【０００３】
従来の羽根(ブレ−ド)は気体や流体に対してブレ−ドの角度の調整を主体として回転しやすい様に調整していたのを、
気体や流体が当たる側の羽根(ブレ−ド)を薄くして、端から端までに波状の形に多く折り曲げて、折り曲げることによって丈夫で軽くて気体や流体があたるとブレ−ドの回転力が増す、
薄いブレ−ドを波状に多く折り曲げたブレ−ドは、気体や流体があたると折り曲げたブレ−ドの溝に圧縮した気体や流体があたってブレ−ドが回転力が増す、
薄いブレ−ドを波状に多く折り曲げると、ブレ−ドの面積が多くなってそのブレ−ドに気体や流体があたるとブレ−ドが回転力が増す、
薄いブレ−ドを波状の形に多く折り曲げたブレ−ドの気体や流体があたる反対側では気体や流体は渦を巻かなくスム−ズに流れて回転しやすくなる
気体や流体があたる第一番目のブレ−ドに気体や流体があたって、第一番目のブレ−ドから出た気体や流体は斜め方向の状態の流れで出てくるので、それに対して第二番目のブレ−トが回転しやすいようにブレ−ドを取り付けるのには、ヨットが斜め向かいの風に対しても前方に走って行くのと同じ様に、第二番目のブレ−ドを回転する方向に対して斜め縦状に軸に取り付けてブレ−ドの回転力が増す、
第一番目のブレ−ドの軸方向に縦状にブレ−ドの端から端までへの字状の形や波状の形に多く折り曲げる、
上記の第一番目のブレ−ドと第二番目のブレ−ドをつなげて一体化する、
気体や流体があたる最初の薄いブレ−ドの端のブレ−ド側はへの字状の形や波状の形に大きく折り曲げて、気体や流体が最後の方にあたるブレ−ドの端の方にはへの字状の形や波状の形を小さく折り曲げていき、全体的には丈夫で軽く回転しやすいのとブレ−ドの反対面側は気体や流体か渦を巻かなくや乱流にならに無くて、ブレ−ドの最後の方では気体や流体が流れやすくなってブレ−ドの回転力が増す、
ブレ−ドの軸に気体や流体があたって気体や流体が軸の周りに寄っていって圧力が上がりブレ−ドの本体とブレ−ドの本体との間の隙間に小さいブレ−ドを取り付けて圧力の上がった部分の気体や流体で小さいブレ−ドを回転させる、
ブレ−ド側に圧縮した気体や流体を送ってブレ−ドが回転力が増す、
縦状のブレ−ドに圧縮した気体や流体を送って縦状のブレ−ドの回転力を増す、
風力発電などにLEDを取り付けてたりや飛行動物などが嫌がる音や超音波を出して飛行動物との衝突を防止させる、
薄いブレ−ドに端から端までに波状の形に多く折り曲げることによって丈夫で軽くて回転力が増すのと波状の形の溝に気体や流体が圧縮されて回転力が増すのと薄いブレ−ドに波状の形に多く折り曲げることでブレ−ドの面積が増えて回転力が増すのと波状の形に多く折り曲げたブレ−ドの気体や流体があたる反対側のブレ−ド面に気体や流体が流れても渦がまかなく回転しやすい、
第一番目のブレ−ドと第二番目のブレ−ドに分けることで気体や流体をより生かしてブレ−ドの回転力が上がる、
第二番目のブレ−ドを回転方向に斜め縦状に軸に取り付けることで斜めから流れてくる気体や流体に対して回転力がつく、
最初の端のブレ−ド側にはへの字の形や波状の形に大きく折り曲げて気体や流体があたって丈夫で軽くて回転力が増して、気体や流体が最後に流れていくブレ−ド側にはへの字の形や波状の形を小さく折り曲げて段々と小さくしていくことで気体や流体が最後にあたって流れていく側では気体や流体が流れやすく回転しやすくなる、反対面側では気体や流体が渦を巻かなく乱流も無くてブレ−ドが回転しやすい、
第一番目のブレ−ドには軸方向に縦状にへの字状の形や波状の形にブレ−ドの端から端まで多く折り曲げる、
ブレ−ドに圧縮した気体や流体を送って回転力を増す、
縦状のブレ−ドに圧縮した気体や流体を送って回転力を増す、
風力発電などに飛行動物などが衝突しなくなる、む
【発明を実地するための最良の形態】
【０００４】
気体や流体があたるブレ−ドを薄い、鉄やステンレスやアルミニュ−ムやトタンやブリキや金属やプラスチックなどにして、ブレ−ドを〔図１の１〕のように〔２〕の軸の方向に縦状に〔図２の１〕のようにブレ−ドの端から端まで波状の形に多く折り曲げたブレ−ドにする 
【０００５】
上記の０００５に記載したブレ−ドは軽くて、丈夫で、〔３〕の気体や流体があたると回転力が増すのと、ブレ−ドの面積が多くなって回転力が増すのと、波状の形に折り曲げたところの溝では〔３〕の気体や流体が〔４〕のように圧縮されて回転力が増す増す上がるブレ−ドである、
【０００６】
上記の０００５に記載したブレ−ドの気体や流体があたる反対面側は同じく波状の形に多く折れ曲がっているので気体や流体が通っても〔５〕のように渦が巻かなくや乱流にならなく気体や流体がスム−ズに通るのでブレ−ドの回転力が上がるブレ−ド、
【０００７】
〔図３の７〕の第一番目のブレ−ドに〔３〕の気体や流体があたると第一番目のブレ−ドにあたった気体や流体は〔１４〕のように斜めの方向に第一番目のブレ−ドから出ていくので、その気体や流体に対して回転力がある第二番目のブレ−ドにするのには、ヨットが斜め前から吹く風に対してヨットが前方へ進むのと同じく、第二番目のブレ−ドを回転する方向に対して〔６〕のように斜め縦状に軸に取り付けて、第一番目のブレ−ドに当たって出た気体や流体が第二番目のブレ−ドの回転する方向に向かって斜め前方から進んでその気体や流体が第二番目のブレ―ドの斜め縦状の面に当たって跳ね返って流れて第二番目のブレ−トの回転力がつく角度に軸に取り付けた第二番目のブレ−ドの装置。
〔図４の７〕が前方から見た第一番目のブレ−ドである、
〔図５の６〕が前方から見た第二番目のブレ−ドである、
第一番目のブレ−ドと第二番目のブレ−ドの２つのブレ−ドをそれぞれ一つのブレ−ドの軸に取り付けた装置、
【０００８】
上記の０００８記載の第一番目のブレ−ドと第二番目のブレ−ドを一つにつないで一体化したブレ−ド。一体化したのが〔図６の９〕のブレ−ドである、
【０００９】
〔３〕の気体や流体が最初にあたる〔図７の１５〕や〔図８の１５〕のブレ−ド面にはブレ−ドの軸方向へ縦状にへの字状の形や波状の形に大きく折り曲げて、〔１６〕の気体や流体が最後にあたるブレ−ド面や気体や流体が最後に流れるブレ−ド面にはへの字状の形や波状の形に小さく折り曲げて、〔１０〕のようにブレ−ド面の端から端まではへの字状の形や波状の形に段段と小さく折り曲げていったブレ−ドで、
気体や流体が最初にあたるブレ−ド面にへの字状の形や波状の形に大きく折り曲げたところでは気体や流体がブレ−ドの溝に圧縮したりやブレ−ドの面積が多くなったりしてブレ−ドの回転力が上がるのと、
反対面には〔４６〕のように気体や流体の流れの渦が巻かなくや乱れが無くスム−ズに流れて全体的に力が増してブレ−ドの回転力が増すのと、
気体や流体が最後の方にあたったりや流れたりするところのブレ−ド面〔１６〕ではへの字状の形や波状の形に小さく折り曲げているので気体や流体が流れやすくなってブレ−ドの回転力が増すブレ−ド、
【００１０】
第一番目のブレ−ドには〔図９の５４〕のようにブレ−ドの軸方向へ縦状に端から端までへの字状の形や波上の形に多く折り曲げて、
第二番目のブレ−ドには〔図９の６〕のようにへの字状の形や波状の形に折り曲げなくする、
第一番目のブレ−ドにはへの字状の形や波状の形に多く折り曲げることで、気体や流体が当たってへの字状の形や波状の形の溝に気体や流体が入り込んで、その溝に気体や流体の圧力が上がってブレ−ドの回転力が上がるのと、
第二番目のブレ−ドにはへの字状の形や波状の形に折り曲げないことで、第一番目のブレ−ドを出た気体や流体が第二番目のブレ−ドに対して斜め前方から流れていき第二番目のブレ−ドに気体や流体が斜め前方からあたって、そして第二番目のブレ−ドが回転方向に進むように回転するようにするのには第二番目のブレ−ドが回転するのに斜め前方から気体や流体が当たって跳ね返って流れてそれに回転するのに合った角度に斜め縦状に軸に取り付けて、斜め前方から気体や流体が第二番目のブレ−ドの角度にあたってその気体や流体が当たって跳ね返って流れるように当たることで第二番目のブレ−ドが回転方向に回転するので、第二番目のブレ−ドにはへの字状の形や波状の形に折り曲げないこと。
上記の、ブレ−ドの軸方向に縦状にブレ−ドの端から端までへの字状の形や波状の形に多く折り曲げた第一番目のブレ−ドとへの字状の形や波状の形に折り曲げていない第二番目のブレ−ドと２つのブレ−ドそれぞれ一つのブレ−ドの軸に取り付けた装置、
【００１１】
上記の００１１に記載した第一番目のブレ−ドと第二番目のブレ−ドを一体化したのが〔図１０〕のブレ−ドである、
〔４７〕が第一番目のブレ−ドにあたる、
〔４８〕が第二番目のブレ−ドにあたる、
【００１２】
〔図１０の４７〕の気体や流体が最初に当たるブレ−ド面の端から、気体や流体が最後の方に当たるブレ−ド面や気体や流体が最後の方に流れるブレ−ド面の端の最後まで行かない途中まで、ブレ−ドの軸方向へ縦状にへの字状の形や波状の形に段段と小さく折り曲げていって、最後の方の気体や流体が最後に流れるブレ−ド面〔４８〕にはへの字状の形や波状の形に折り曲げなくしたブレ−ド面のブレ−ド、
で気体や流体が最後の方に流れるブレ−ド面にへの字状の形や波状の形に折り曲げた場合には、気体や流体の流れが最後の方のブレ−ド面のへの字状の形や波状の形に折り曲げたブレ−ド面に抵抗が出来るので、それをなくすようにしてブレ−ド面の最後の方にはへの字状の形や波状の形に折り曲げなくしたブレ−ドはブレ−ドの最後の方には気体や流体が流れやすくなってブレ−ドの回転方向へ回転しやすい様になったブレ−ド。
それとブレ−ド面の気体や流体が最初に当たるブレ−ド面の端から、気体や流体が最後の方に当たるブレ−ド面や気体や流体か最後の方に流れるブレ−ド面の端の最後まで行かなく途中までのブレ−ド面にはブレ−ドの軸方向へ縦状にへの字状の形や波状の形に段段と小さくしていくのでなく、ブレ−ド面に最初に気体や流体が当たるブレ−ド面の端からと気体や流体が最後の方に当たるブレ−ド面や気体や流体が最後の方に流れるブレ−ド面の端の最後まで行かなく途中までブレ−ドの軸方向へ縦状にへの字状の形や波状の形ちに同じ大きさに折り曲げて、気体や流体が最後の方に流れるブレ−ド面ではへの字状の形や波状の形に折りげ曲ないブレ−ド。
【００１３】
〔図１１の１３〕は回転するブレ−ドの外側の周りを筒状に覆って、ブレ−ド面にあたったりやあたろうとする気体や流体の力がブレ−ドの外側に流れないようにや外側に漏れないようにすることで、気体や流体の流れがブレ−ドに力が集中してブレ−ドの回転力が増す装置、
【００１４】
〔図１２の９と図１３の９〕のブレ−ドの軸に〔３〕の気体や流体があたると〔１７〕のように軸の周りに気体や流体がよって行って気体や流体の圧力が上がるので、〔図１２の１１〕のブレ−ドの本体とブレ−ドの本体との間に〔図１２の１０と図１３の１０〕のようにブレ−ドを取り付けて、その〔１７〕の圧力の上がった気体や流体でブレ−ドを回転させて全体的なブレ−ドの回転力を上げる装置。
【００１５】
弱い気体の流れや弱い流体の流れでも〔図１４〕の〔１８〕のような筒状の中に〔１９〕のように筒の内側に気体や流体が圧縮するように中心部が細くなるように取り付けて〔３〕の気体や流体が圧縮して流れてブレ−ドの回転力が上がるのと、気体や流体の排出口は広げて圧縮した気体や流体を〔２２〕ように排出して排出口の気体や流体の圧縮を下げることで筒の中の気体や流体の流れが増す増すいいくなってブレ−ドの回転力が増す増す上がる装置。
で〔２１〕の発電機などを廻す〔２０〕のブレ−ドを力強く早く回転させて発電などが増す増す上がる、
【００１６】
弱い気体の流れや弱い流体の流れにも、縦状に回転するブレ−ドを上から見ている〔図１５の４９〕の縦状に回転するブレ−ドの中の〔５０〕に気体や流体が最初に当たるブレ−ドやブレ−ドに気体や流体を圧縮して送るブレ−ド側の〔２５〕に気体や流体を圧縮して送るのに、縦状に回転するブレ−ドの〔３〕の気体や流体を取り入れる側に縦状のブレ−ドよりも広げた〔２４〕や〔図１７の２４〕の気体や流体が反射するものを取り付けて、それに気体や流体が流れてきて当たると気体や流体が〔２４〕のそのものの反射面に反射して、回転するブレ−ドの中の気体や流体が最初に当たる〔５０〕のブレ−ドやブレ−ド側の〔２５〕に気体や流体が圧縮して入って行きそれによってブレ−ドの回転力が上がる装置。
〔図１９〕の〔３８〕の発電機を回転させて発電を行う、
【００１７】
縦状に回転するブレ−ドとそれに伴う本体と機器の一体が、風の向きに対して縦状に回転するブレ−ドとブレ−ド側に圧縮して気体や流体が流れている状態で一方方向に向いている状態から、気体や流体の流れの向きが変わった場合には、気体や流体の流れの向きに対して一方方向に向いていた縦状に回転するブレ−ドとそれに伴う本体と機器の一体に付いている風向機を流れの変わった気体や流体が押して、それに伴って連続した機器を動かして縦状のブレ−ドとそれに伴う本体と機器の一体を気体や流体の流れに対して縦状に回転するブレ−ド側に圧縮した気体や流体が流れる向きに向ける装置。
【００１８】
〔図１５〕と〔図１６〕は縦状に回転するブレ−ドとそれに伴う機器の一体が一方方向からの風向きに対して向きが固定している状態であり、
〔図１７〕と〔図１８〕は縦状に回転するブレ−ドとそれに伴う機器の一体が、風向きが変わってその風向きに対して縦状のブレ−ドとそれに伴う本体と機器の一体が縦状のブレ−ドに気体や流体が圧縮して入るように向きを変える動きをしている、
〔図１７〕は縦状に回転するブレ−ドが一方方向からの風に対して向きが固定している状態から、〔３〕の気体や流体の流れの向きが変わって〔２３〕と〔図１９の２３〕の風向機を〔３〕の気体や流体が押して〔２６〕を移動させて〔図１８の３６〕と〔図１６の３６〕を押して〔３４〕を移動させて〔３０〕を移動させて〔４２〕を移動させて〔３７〕を持ち上げてそれが〔３２〕を持ち上げて連結している〔４０〕を持ち上げてそして〔２８〕を〔２９〕の窪みの中から抜いて発電機本体を廻してブレ−ドに圧縮させた気体や流体を反射して送る〔２４〕を風向きに向けてから、風向機〔２３〕が元に戻って、上記の連結の逆によって〔２８〕を〔２９〕の窪みの中に入れて発電機本体と〔２４〕を風向きに固定させる、それによって〔２４〕のものはブレ−ドに圧縮した気体や流体を送る方向に向いて、それによって縦状のブレ−ドには〔２４〕によって気体の流れや流体の流れが反射して圧縮されて縦状のブレ−ドに流れて入って行き縦状のブレ−ドの回転力が増す、
【００１９】
風力発電などに飛行動物がぶつからないようにや、動物が近づかないようにするのに〔図２０〕の〔５３〕のようにブレ−ドにＬＥＤの節約電球を取り付けて、ＬＥＤの明かりで飛行動物がぶつからないようにしたりや、動物が近寄らないようにする装置。  
【００２０】
風力発電などに飛行動物がぶつからないようにや、動物が近づかないようにするのには、風力発電装置などに飛行動物や動物が嫌がる音や超音波を出して、飛行動物や動物が近づかないようにする装置。
【産業上の利用可能性】
【００２１】
自然の力を利用して自然エネルギ−の効率を良いくして化石燃料や原子力の割合を減らせて資源の節約になる、
【図面の簡単な説明】
【００２２】
【図１】気体や流体があたるブレ−ドを薄い、鉄やステンレスやアルミニュ−ムやトタ          ンやブリキや金属やプラスチックなどにして、ブレ−ドを軸の方向に縦状          にブレ−ドの端から端まで波状の形に多く折り曲げたブレ−ドを取り付けた風          車、
【図２】ブレ−ドの端から端まで波状に多く折り曲げたブレ−ドを軸方向に見ている、、
【図３】第一番目のブレ−ドに気体や流体があたると第一番目のブレ−ドにあたった気          体や流体は斜めの方向に出ていくので、その気体や流体に対して回転力がある          第二番目のブレ−ドにするのには、ヨットが斜め前から吹く風に対してヨット          が前方へ進むのと同じく、第二番目のブレ−ドを回転する方向に対して軸に斜め縦          状に取り付けて、第一番目のブレ−ドを出た気体や流体が第二番目のブレ−ドの回転する方向の斜め前方から気体や流体があたって回転力がつく角度に取り付けた第二番目のブ          レ−ドで、第一番目のブレ−ドと第二番目のブレ−ドを取り付けたもの、
【図４】前方から見た第一番目のブレ−ドである、、
【図５】前方から見た第二番目のブレ−ドである、
【図６】第一番目のブレ−ドと第二番目のブレ−ドを一つにつないで一体化したブレ−          ド。
【図７】気体や流体が最初にあたるブレ−ド面にはブレ−ドの軸方向へ縦状にへの字状の形や波状の形に大きく折り曲げて、気体や流体が最後にあたるブレ−ド面や気体や流体が最後に流れるブレ−ド面にはへの字状の形や波状の形に小さく折り曲げて、ブレ−ド面の          端から端まではへの字状の形や波状の形に段段と小さく折り曲げていったブレ          −ド、          気体や流体が最初にあたるブレ−ド面にへの字状の形や波状の形に大きく折り          曲げたところでは気体や流体がブレ−ドの溝に圧縮したりやブレ−ドの面積が          多くなったりしてブレ−ドの回転力が上がるのと、反対面には気体や流体の流          れの渦が巻かなくや乱れが無くスム−ズに流れて全体的に力が増してブレ−ド          の回転力が増すのと、気体や流体が最後の方にあたったりや流れたりするとこ          ろのブレ−ド面ではへの字状の形や波状の形に小さく折り曲げているので気体          や流体が流れやすくなってブレ−ドの回転力が増すブレ−ド、
【図８】図７のうちブレ−ドだけを表している、
【図９】第一番目のブレ−ドにはブレ−ドの軸方向へ縦状にへの字状の形や波状の形にブレ−ドの端から端まで多く折り曲げている、第二番目のブレ−ドにはへの字状の形や波状の形に折り曲げていない、
【図１０】気体や流体が最初に当たるブレ−ド面の端から、気体や流体が最後に当たるの          や気体や流体が最後に流れるブレ−ド面の端の最後の方の途中まで、ブレ−ドの軸方向にへの字状の形や波状の形に段段と小さく折り曲げていって、最後の方の気体や流体が最          後に流れるブレ−ド面にはへの字状の形や波状の形に折り曲げなくしたブレ−          ド面のブレ−ド、          で気体や流体が最後のに方に流れるブレ−ド面にへの字状の形や波状の形に折            り曲げた場合には、気体や流体の流れが最後の方のブレ−ド面のへの字状の形          や波状の形に折り曲げたブレ−ド面に抵抗が出来るので、それをなくすように          してブレ−ド面の最後の方にはへの字状の形や波状の形に折り曲げなくしたブ          レ−ドはブレ−ドの最後の方には気体や流体が流れやすくなってブレ−ドの回          転方向へ回転しやすい様になったブレ−ド。          それとブレ−ド面の気体や流体が最初に当たるブレ−ド面の端から、気体や流          体が最後に当たるのや気体や流体か最後に流れるブレ−ド面の端の最後の方の          途中までのブレ−ド面にはへの字状の形や波状の形に段段と小さくしていくの          でなく、ブレ−ド面に最初に気体や流体が当たるブレ−ド面の端からと気体や          流体が最後に当たるのや気体や流体が最後に流れるブレ−ド面の端の最後の方          の途中までブレ−ドの軸方向にへの字状の形や波状の形ちに同じ大きさに折り曲げて、気体や流体が最後の方に流れるブレ−ド面ではへの字状の形や波状の形に折りげ曲ないブ          レ−ド。
【図１１】回転するブレ−ドの外側の周りを筒状に覆って、ブレ−ド面にあたったりや            あたろうとする気体や流体の力がブレ−ドの外側に流れないようにや外側に            漏れないようにすることで、気体や流体の流れがブレ−ドに力が集中してブ            レ−ドの回転力が増す、
【図１２】ブレ−ドの軸に気体や流体があたると軸の周りに気体や流体がよって行って            気体や流体の圧力が上がるので、ブレ−ドの本体とブレ−ドの本体との間に            小さいブレ−ドを取り付けて、その圧力の上がった気体や流体で小さいブレ            −ドを回転させて全体的なブレ−ドの回転力を上げる、
【図１３】図１１を横から見た図で、気体や流体がブレ−ドの軸の周りに寄っていって気体や流体の圧力が上がり、その圧力の上がった気体や流体でブレ−ド本体とブレ−ド本体の間にある小さいブレ−ドを回転させている、
【図１４】弱い気体の流れや弱い流体の流れでも、筒状の中の内側に気体や流体が圧縮            するように中心部が細くなるように筒状に取り付けて気体や流体が圧縮して            流れてブレ−ドの回転力が上がるのと、気体や流体の排出口は広げて圧縮し            た気体や流体を排出して気体や流体の圧縮を下げることで筒の中の気体や流            体の流れが増す増すいいくなってブレ−ドの回転力が増す増す上がる装置、
【図１５】縦状に回転するブレ−ドを上から見ている、            弱い気体の流れや弱い流体の流れにも、縦状に回転するブレ−ドの回転力を            上げるのには、縦状に回転するブレ−ドの中の気体や流体が最初に当たるフ            レ−ドやブレ−ド側に気体や流体を圧縮して送るのに、縦状に回転するブレ            −ドの気体や流体を取り入れる側に縦状のブレ−ドよりも広げた気体や流体            が反射するものを取り付けて、それに気体や流体が流れてくると気体や流体            がそのものの反射面に反射して気体や流体が圧縮して行き、回転するブレ−            ドの気体や流体が最初に当たるブレ−ドやブレ−ド側に圧縮して入って行き            それによってブレ−ドの回転力が上がる装置。
【図１６】縦状に回転するブレ−ドの装置が、ブレ−ドが回転する方向に気体や流体か            流れている方向の状態を維持している装置の内容の図、
【図１７】縦状に回転するブレ−ドの装置に風向きが変わると、変わった風向きが風向機を押して、縦状の回転するブレ−ドの装置の向きを変えようとしている、
【図１８】風向きが変わって縦状に回転するブレ−ドの本体についている風向機を押して本体を回転するように本体内部の機器が移動している、            風向機が移動して〔２３〕が移動して〔３６〕を押して移動して〔３４と３０と４２〕が移動して〔３２〕を持ち上げて〔４０〕が持ち上がって〔２９〕の窪みにはまっていた〔２８〕が持つ上がって本体の縦状に回転するブレ−ドが回転しやすい一番いい風向きに移動して、風向機が元の位置に戻って上記の行程が逆に行われて〔２８〕が〔２９〕の窪みにはまって本体が固定する、
【図１９】縦状に回転するブレ−ドとその本体を横から見ている、
【図２０】風力発電などのブレ−ドに飛行動物などがぶつからないようにするのにブレ−ドに節電用のＬＥＤ電球を取り付けている、
【符号の説明】
【００２３】
１  気体や流体の当たるブレ−ドを薄い、鉄やステンレスやアルミニュ−ムやトタンやブ
リキや金属やプラスチックにして軸方向へ縦状に、ブレ−ドの端から端まで波状
に多く折り曲げている、
２  回転するブレ−ドの軸、
３  気体や流体の流れ、
４  ブレ−ドの端から端まで波状に多く折り曲げた溝に気体や流体が当たっていて溝に気
体や流体が圧縮されている、
５  ブレ−ドの端から端まで波状に多く折り曲げたブレ−ドに気体や流体が当たるブレ−
ド面の反対側面に気体や流体が流れている、
６  気体や流体が第一番目のブレ−ドに当たってその気体や流体が第一番目のブレ−ドを
出て第二番目のブレ−ドに当たるその第二番目のブレ−ド、
７  第一番目のブレ−ド、
８  ブレ−ドの軸、
９  第一番目のブレ−ドと第二番目のブレ−ドとを一体化してつないだブレ−ド、
１０  ブレ−ドの最初の端の方は大きくへの字状の形や波状の形に折り曲げて、ブレ−ドの最後の端の方はへの字状の形や波状の形に小さく折り曲げて、ブレ−ドの端から端まで行くのにへの字状の形や波状の形に段段と小さく折り曲げていっている、
１１  ブレ−ドの本体、
１２  ブレ−ドの端から端までへの字状の形にや波状の形に多く折り曲げたブレ−ドの、気体や流体が当たるブレ−ドの反対面を気体や流体が流れている、
１３  回転するブレ−ドの周りを筒状に覆っている、
１４  ブレ−ドの軸に気体や流体が当たって気体や流体が軸の周りに流れて集まって気体や流体が圧縮して、その圧縮した気体や流体の流れの力で回転させるブレ−ド、
１５  ブレ−ドに最初に気体や流体が当たるブレ−ドの部分にへの字状の形や波状の形に大きく折り曲げている、
１６  ブレ−ドに最後に気体や流体が当たったりや最後に気体や流体が流れたりするブレ−ドの部分にへの字状の形や波状の形に小さく折り曲げている、
１７    ブレ−ドの軸に気体や流体が当たって気体や流体が軸の周りに集まって気体や流体が圧縮されている、
１８  気体や流体の流れを入り口から細く圧縮して、その流れでブレ−ドを回して発電機などを回してその圧縮した気体や流体の流れを出口で広げて排出して、気体や流体の圧縮が下がって増す増すブレ−ドの回転がいいくなる全体の筒の装置、
１９  気体や流体の流れを入り口で細くして圧縮して、気体や流体をの流れを出口で広げて排出する中心部が細くなった筒状のもの、
２０  中心部を細くして気体や流体を圧縮して流してブレ−ドを回すそのブレ−ド、
２１  発電機など、
２２  中心部を細くして気体や流体を圧縮させて流してブレ−ドなどを回して、その気体や流体を出口から広げて排出している、
２３  縦状に回転するブレ−ドの本体の向きを風向きによって変える風向機、
２４  縦状に回転するブレ−ドに気体や流体を圧縮して入れるのに、気体や流体を反射させて気体や流体を圧縮させてブレ−ドに入るようにするもの、
２５  気体や流体を反射させて圧縮してブレ−ドの手前の空間に入っていくその空間、
２６  風向きが変わった場合には２３の風向機を風が押してその風向機の動きと逆に動いて３６を押す装置、
２７  風向きが変わってその風で風向機を押して次々と連動して作動して２９の窪みから２８を抜いてその時の縮まるバネで、ブレ−ドの本体の向きが変わって一方向になると風向機が元の位置に戻って２７のバネが元に戻って２８が２９の窪みに入ってブレ−ドの向きが一定する、
２８  ２９の窪みの中にはまるようになっている、
２９  ブレ−ドの本体が回転して一定方向に向くと２８が窪みの中にはまって方向が固定される、その窪み、
３０  風向きが変わった風で風向機を押して次々と連動して作動する一つで４２と連結し  
ている、
３１  風向きが変わった風で風向機を押して次々と連動して作動する一つで、３４の動きと逆になるように支点になっている、
３２  ２７のバネを支えている、
３３  縦状に回転するブレ−ドの本体を支えている脚、
３４  風向きが変わった風で風向機を押して次々と連動して作動する一つで、３６が風向機に押されて動いてそして動く、
３５  風向きが変わった風で風向機を押して風向機が動いてその風向機を支えている、
３６  風向きが変わった風で風向機を押してその押された風向機が押すもの、
３７  風向きが変わった風で風向機を押して次々と連動して作動する一つで、２７のバネと３２のバネを支えのものを持ち上げるもの、
３８  縦状に回転するブレ−ドの本体についている発電機、
３９  風向きが変わった場合には縦状のブレ−ドとその本体とをブレ−ドが一番いいく回転する方向に向けてその位置に固定するために２８がはまるようになているものが円形にたくさん付いているもの、
４０  風向きが変わった風で風向機を押して次々と連動して作動する一つで２８を２９の窪みから抜いたりやはめたりする２８に連結している、
４１  風向きが変わった風で風向機を押して次々と連動して作動する一つの４０を支えているもの、
４２  風向きが変わった風で風向機を押して次々と連動して作動する一つで３２を持ち上げる作用をする事に繋がっている、
４３  縦状に回転するブレ−ドの上に付いている蓋、
４４  縦状に回転するブレ−ドの下に付いている蓋、
４５  縦状に回転するブレ−ドの本体とその本体を風向きに対して一定方向に固定するための２８がはまったりや抜いたりする多くの窪みが付いているものとが動きやすいように本体に付いている軸、
４６  ブレ−ド端から端までへの字状の形や波状の形に段段と小さく折り曲げているブレ−ドの反対面に気体や流体が流れている様子、、
４７  ブレ−ドに最初に気体や流体が当たる部分のブレ−ドとブレ−ドに後に気体や流体が当たる部分の途中までやブレ−ドに後に気体や流体が流れる部分の途中までにへの字状の形やに波状の形に多く折り曲げている、
４８  ブレ−ドの最初に気体や流体が当たる部分のブレ−ドとブレ−ドに後に気体や流体が当たる部分途中までやブレ−ドに気体や流体が後に流れる部分の途中までへの字状の形や波状の形に折り曲げて、その続きのブレ−ドにはへの字状の形や波状の形に折り曲げない部分、
４９  縦状に回転するブレ−ド、
５０  縦状に回転するブレ−ドに気体や流体が圧縮して入ってきてブレ−ドに当たるブレ−ド、
５１  縦状に回転するブレ−ドを回転するように円形状に覆っている、
５２  風力発電機用のブレ−ド、
５３  風力発電用ブレ−ドなどに飛行動物がぶつからないように節電用のＬＥＤ電球を取り付けている、
５４  第一番目のブレ−ドにブレ−ドの軸方向に縦状にへの字状の形や波状の形にブレ−ドの端から端まで多く折り曲げている、
【図１】
2017072083.tif 000003
【図２】
2017072083.tif 000004
【図３】
2017072083.tif 000005
【図４】
2017072083.tif 000006
【図５】
2017072083.tif 000007
【図６】
2017072083.tif 000008
【図７】
2017072083.tif 000009
【図８】
2017072083.tif 000010
【図９】
2017072083.tif 000011
【図１０】
2017072083.tif 000012
【図１１】
2017072083.tif 000013
【図１２】
2017072083.tif 000014
【図１３】
2017072083.tif 000015
【図１４】
2017072083.tif 000016
【図１５】
2017072083.tif 000017
【図１６】
2017072083.tif 000018
【図１７】
2017072083.tif 000019
【図１８】
2017072083.tif 000020
【図１９】
2017072083.tif 000021
【図２０】
2017072083.tif 000022
【手続補正書】
【提出日】平成27年10月13日(2015.10.13)
【手続補正１】
【補正対象書類名】明細書
【補正対象項目名】００２３
【補正方法】変更
【補正の内容】
【００２３】
１  気体や流体の当たるブレ−ドを薄い、鉄やステンレスやアルミニュ−ムやトタンやブ
リキや金属やプラスチックにして軸方向へ縦状に、ブレ−ドの端から端まで波状
に多く折り曲げている、
２  回転するブレ−ドの軸、
３  気体や流体の流れ、
４  ブレ−ドの端から端まで波状に多く折り曲げた溝に気体や流体が当たっていて溝に気
体や流体が圧縮されている、
５  ブレ−ドの端から端まで波状に多く折り曲げたブレ−ドに気体や流体が当たるブレ−
ド面の反対側面に気体や流体が流れている、
６  気体や流体が第一番目のブレ−ドに当たってその気体や流体が第一番目のブレ−ドを
出て第二番目のブレ−ドに当たるその第二番目のブレ−ド、
７  第一番目のブレ−ド、
８  ブレ−ドの軸、
９  第一番目のブレ−ドと第二番目のブレ−ドとを一体化してつないだブレ−ド、
１０  ブレ−ドの最初の端の方は大きくへの字状の形や波状の形に折り曲げて、ブレ−ドの最後の端の方はへの字状の形や波状の形に小さく折り曲げて、ブレ−ドの端から端まで行くのにへの字状の形や波状の形に段段と小さく折り曲げていっている、
１１  ブレ−ドの本体、
１２  ブレ−ドの端から端までへの字状の形にや波状の形に多く折り曲げたブレ−ドの、気体や流体が当たるブレ−ドの反対面を気体や流体が流れている、
１３  回転するブレ−ドの周りを筒状に覆っている、
１４  ブレ−ドの軸に気体や流体が当たって気体や流体が軸の周りに流れて集まって気体や流体が圧縮して、その圧縮した気体や流体の流れの力で回転させるブレ−ド、
１５  ブレ−ドに最初に気体や流体が当たるブレ−ドの部分にへの字状の形や波状の形に大きく折り曲げている、
１６  ブレ−ドに最後に気体や流体が当たったりや最後に気体や流体が流れたりするブレ−ドの部分にへの字状の形や波状の形に小さく折り曲げている、
１７    ブレ−ドの軸に気体や流体が当たって気体や流体が軸の周りに集まって気体や流体が圧縮されている、
１８  気体や流体の流れを入り口から細く圧縮して、その流れでブレ−ドを回して発電機などを回してその圧縮した気体や流体の流れを出口で広げて排出して、気体や流体の圧縮が下がって増す増すブレ−ドの回転がいいくなる全体の筒の装置、
１９  気体や流体の流れを入り口で細くして圧縮して、気体や流体をの流れを出口で広げて排出する中心部が細くなった筒状のもの、
２０  中心部を細くして気体や流体を圧縮して流してブレ−ドを回すそのブレ−ド、
２１  発電機など、
２２  中心部を細くして気体や流体を圧縮させて流してブレ−ドなどを回して、その気体や流体を出口から広げて排出している、
２３  縦状に回転するブレ−ドの本体の向きを風向きによって変える風向機、
２４  縦状に回転するブレ−ドに気体や流体を圧縮して入れるのに、気体や流体を反射させて気体や流体を圧縮させてブレ−ドに入るようにするもの、
２５  気体や流体を反射させて圧縮してブレ−ドの手前の空間に入っていくその空間、
２６  風向きが変わった場合には２３の風向機を風が押してその風向機の動きと逆に動いて３６を押す装置、
２７  風向きが変わってその風で風向機を押して次々と連動して作動して２９の窪みから２８を抜いてその時の縮まるバネで、ブレ−ドの本体の向きが変わって一方向になると風向機が元の位置に戻って２７のバネが元に戻って２８が２９の窪みに入ってブレ−ドの向きが一定する、
２８  ２９の窪みの中にはまるようになっている、
２９  ブレ−ドの本体が回転して一定方向に向くと２８が窪みの中にはまって方向が固定される、その窪み、
３０  風向きが変わった風で風向機を押して次々と連動して作動する一つで４２と連結し  
ている、
３１  風向きが変わった風で風向機を押して次々と連動して作動する一つで、３４の動きと逆になるように支点になっている、
３２  ２７のバネを支えている、
３３  縦状に回転するブレ−ドの本体を支えている脚、
３４  風向きが変わった風で風向機を押して次々と連動して作動する一つで、３６が風向機に押されて動いてそして動く、
３５  風向きが変わった風で風向機を押して風向機が動いてその風向機を支えている、
３６  風向きが変わった風で風向機を押してその押された風向機が押すもの、
３７  風向きが変わった風で風向機を押して次々と連動して作動する一つで、２７のバネと３２のバネを支えのものを持ち上げるもの、
３８  縦状に回転するブレ−ドの本体についている発電機、
３９  風向きが変わった場合には縦状のブレ−ドとその本体とをブレ−ドが一番いいく回転する方向に向けてその位置に固定するために２８がはまるようになているものが円形にたくさん付いているもの、
４０  風向きが変わった風で風向機を押して次々と連動して作動する一つで２８を２９の窪みから抜いたりやはめたりする２８に連結している、
４１  風向きが変わった風で風向機を押して次々と連動して作動する一つの４０を支えているもの、
４２  風向きが変わった風で風向機を押して次々と連動して作動する一つで３２を持ち上げる作用をする事に繋がっている、
４３  縦状に回転するブレ−ドの上に付いている蓋、
４４  縦状に回転するブレ−ドの下に付いている蓋、
４５  縦状に回転するブレ−ドの本体とその本体を風向きに対して一定方向に固定するための２８がはまったりや抜いたりする多くの窪みが付いているものとが動きやすいように本体に付いている軸、
４６  ブレ−ド端から端までへの字状の形や波状の形に段段と小さく折り曲げているブレ−ドの反対面に気体や流体が流れている様子、、
４７  ブレ−ドに最初に気体や流体が当たる部分のブレ−ドとブレ−ドに後に気体や流体が当たる部分の途中までやブレ−ドに後に気体や流体が流れる部分の途中までにへの字状の形やに波状の形に多く折り曲げている、
４８  ブレ−ドの最初に気体や流体が当たる部分のブレ−ドとブレ−ドに後に気体や流体が当たる部分途中までやブレ−ドに気体や流体が後に流れる部分の途中までへの字状の形や波状の形に折り曲げて、その続きのブレ−ドにはへの字状の形や波状の形に折り曲げない部分、
４９  縦状に回転するブレ−ド、
５０  縦状に回転するブレ−ドに気体や流体が圧縮して入ってきてブレ−ドに当たるブレ−ド、
５１  縦状に回転するブレ−ドを回転するように円形状に覆っている、
５２  風力発電機用のブレ−ド、
５３  風力発電用ブレ−ドなどに飛行動物がぶつからないように節電用のＬＥＤ電球を取り付けている、
５４  第一番目のブレ−ドにブレ−ドの軸方向に縦状にへの字状の形や波状の形にブレ−ドの端から端まで多く折り曲げている、
５５  ブレ−ドから出る圧縮された気体や流体を排出させるために、ブレ−ドの回転する周りを円形状に覆っている５１の縦状の半分が空間になっている、
【手続補正２】
【補正対象書類名】図面
【補正対象項目名】図１５
【補正方法】変更
【補正の内容】
【図１５】
2017072083.tif 000023
【手続補正３】
【補正対象書類名】図面
【補正対象項目名】図１７
【補正方法】変更
【補正の内容】
【図１７】
2017072083.tif 000024